(57)【特許請求の範囲】
【請求項１】
床面から立設される脚と、
前記脚の上方に設けられた座と、
前記脚と前記座との間に介在する支持機構と
を備え、
前記支持機構が、前記脚に直接又は間接的に支持された被支持部側又は座を直接又は間接的に支持する支持部側の何れか一方に設けられ、前記支持部側又は被支持部側の立面から水平方向に延出させて設けられて上方及び下方に向かって凸状に湾曲させた山形面を有する波板と、前記支持部側又は被支持部側の何れか他方に設けられ前記山形面に相対動作可能に接するフォロワとを有し、
前記座が、前記山形面及び前記フォロワの相対動作により中立位置から動作するときに動作先端側が下方に傾斜するように、前記波板と前記フォロワが関連づけられていることを特徴とする椅子。
【請求項２】
前記支持機構のほかに、前記座を前記山形面及びフォロワの相対動作方向に交差する方向に動作させる第２の支持機構を備えたものである請求項１記載の椅子。
【請求項３】
前記山形面が前記フォロワとの相対動作方向と交差する方向に沿って前記座の前後方向または左右方向の中心線を跨がるように設けられたものであり、当該中心線の両側において前記山形面に接するように前記フォロワが配されている請求項１又は２記載の椅子。
【請求項４】
前記山形面が前記フォロワとの相対動作方向と交差する方向に沿って前記座の前後方向または左右方向の中心線を跨がるように設けられたものであり、前記フォロワが前記山形面のガイド方向と直交する方向に沿って一端部から延びて他端部に至り、これら前記一端部から前記他端部に亘って前記山形面に接し得る形状をなす請求項１又は２記載の椅子。
【請求項５】
座は前後方向および左右方向にそれぞれ独立して動作可能に支持され、少なくとも何れか一方の動作を支持する支持機構が前記波板とフォロワを備えている請求項１〜４の何れかに記載の椅子。
【請求項６】
前記支持機構が、人が着座していないときの座の中立位置からの動作に伴い、前記座の重心を上昇させるものである請求項１〜５の何れかに記載の椅子。
【請求項７】
前記波板における前記山形面に対して前記フォロワが接する面の裏面側から接し前記山形面及び前記フォロワとの離間を禁止し得る抜け止め要素を具備している請求項１〜６の何れかに記載の椅子。
【請求項８】
抜け止め要素が当該裏面に接する抜け止めフォロワである請求項７記載の椅子。
【請求項９】
抜け止め要素が前記フォロワよりリンクを介して揺動可能に支持されている請求項７又は８記載の椅子。
【発明の詳細な説明】
【技術分野】
【０００１】  本発明は、オフィス等において好適に適用され得る椅子に関するものである。
【背景技術】
【０００２】  従来、オフィスや家庭等にて着座者が長時間快適な着座姿勢を維持することを目的とした椅子が多く考案されている（例えば、特許文献１及び特許文献２参照）。【０００３】  これらの椅子は、着座者が作業を進める上で心地良いと感じた動作が可能なように、着座者の主に後傾、前傾動作に応じて座や背凭れが傾動し得るように構成されていたり、着座者の所要の姿勢が実現され得る位置に座および背凭れを固定し得るように構成されたりしている。【０００４】  ところで、長時間椅子に着座している着座者は通常、自らが快適とされる姿勢で静止しているように傍目には見られることがあるものの、実際には所要の姿勢から常に腰部および臀部、ひいては大腿部を動作させることにより、当該椅子による快適な着座姿勢を保っていることが明らかとなってきた。【０００５】  具体的に説明すると、多くの着座者は、一見自らにとって快適な着座姿勢にて静止しているように見られるものの、実際には、おおむね快適とされる姿勢における腰部および臀部の位置を平面視中心から面方向におけるあらゆる方向すなわち前後方向並びに左右方向に動作しながら、自らの着座による快適さを維持していることがわかってきた。加えて斯かる動作がスムーズに行える状態にある方が、着座者が違和感を覚えることも無く、さらには着座中の執務の作業効率の向上にも資するということがわかってきた。【０００６】  それ故、着座者の上述したような挙動を好適にサポートし得るような機能を備えることが、現在の椅子には求められているということができる。
【先行技術文献】
【特許文献】
【０００７】
【特許文献１】米国特許第４６５７１９号公報
【特許文献２】特開２０１４−００４３２４号公報
【発明の概要】
【発明が解決しようとする課題】
【０００８】  ここで、上記特許文献１及び特許文献２記載の椅子は、着座者の動作を所要の姿勢にて案内すべく、脚側及び座側の一方に設けられたカム面と、他方に設けられた例えばローラ等の転動部材を有するカムフォロワとを設けることにより、着座者が前後に座を動作させ易い構成が実現されている。【０００９】  しかしながら、上記各特許文献記載の椅子は、カム面を立壁の端面に設定しているため、強度面や耐久性に課題があるのが現状である。【００１０】    本発明は、上記のような課題を解消することを目的としており、シンプルな構成としながらも高い耐久性を保ちつつ着座者の体の動きに対応した最適に近いサポートができ、その結果、着座者が長時間着座していても快適な着座感を得ることが可能で、ひいては高い作業効率を安定して維持し得る椅子を提供することを目的とするものである。
【課題を解決するための手段】
【００１１】  本発明は、かかる目的を達成するために、次のような手段を講じたものである。【００１２】
すなわち、本発明に係る椅子は、床面から立設される脚と、前記脚の上方に設けられた座と、前記脚と前記座との間に介在する支持機構とを備え、前記支持機構が、前記脚に直接又は間接的に支持された被支持部側又は座を直接又は間接的に支持する支持部側の何れか一方に設けられ、前記支持部側又は被支持部側の立面から水平方向に延出させて設けられて上方及び下方に向かって凸状に湾曲させた山形面を有する波板と、前記支持部側又は被支持部側の何れか他方に設けられ前記山形面に相対動作可能に接するフォロワとを有し、
前記座が、前記山形面及び前記フォロワの相対動作により中立位置から動作するときに動作先端側が下方に傾斜するように、前記波板と前記フォロワが関連づけられていることを特徴とする。
【００１３】  このような構成であると、立面から水平方向に波板を延出させてこれを受圧面とすることによって、単に立面の端面にカム面を設定するよりも広い受圧面積を確保して、動作の安定性と円滑さを向上させることができる。そして、移動につれて移動先端側が下がる動作を与えるには、波板が極めて適している。また斯かる構造であれば、組み立てもし易いものとなる。【００１４】  山形面及びフォロワの相対動作を通じて座の動作が安定スムーズなものにするためには、前記支持機構のほかに、前記座を前記山形面及びフォロワの相対動作方向に交差する方向に動作させる第２の支持機構を備えたものとすることが望ましい。斯かる構成より、座を第２の支持機構を通じて交差する方向に動作させる構造も安定性を低下させることなく有効に採用することができ、座に多様な動きを実現することができる。【００１５】  山形面を単純な形状にしつつ、左右のフォロワの少なくとも一方若しくは双方による的確な相対動作を行わせるためには、前記山形面を前記フォロワとの相対動作方向と交差する方向に沿って前記座の前後方向または左右方向の中心線を跨がるように設けられたものとし、当該中心線の両側において前記山形面に接するように前記フォロワを配するようにすることが望ましい。【００１６】  山形面とフォロワの受圧面積を十分に確保し、波板の強度も向上させるための構成としては、前記山形面が前記フォロワとの相対動作方向と交差する方向に沿って前記座の前後方向または左右方向の中心線を跨がるように設けられたものであり、前記フォロワが前記山形面のガイド方向と直交する方向に沿って一端部から延びて他端部に至り、これら前記一端部から前記他端部に亘って前記山形面に接し得る形状をなす構成とすることが望ましい。【００１７】  山形面及びフォロワの相対動作を通じて座の動作が安定スムーズなものとするためには、座を前後方向および左右方向にそれぞれ独立して動作可能に支持されるものとし、少なくとも何れか一方の動作を支持する支持機構が前記波板とフォロワを備えている構成とすることがのぞましい。これにより、特に座が直交２方向に独立に動作する場合の一方の動作のガイドとして極めて適したものとなる。【００１８】  着座者に対しより快適な着座感を提供するための構成として、前記支持機構が、人が着座していないときの座の中立位置からの動作に伴い、前記座の重心を上昇させるものを挙げることができる。このようにすると、座は揺動方向側が下方に傾斜しながら中央部の高さは上昇するため、従来にはない着座感を備えた椅子が実現される。しかも、移動するにつれて戻る方向への復帰力が大きくなるので、複雑な構造を採用せずとも、中立位置への復帰機構を適切に実現することができる。【００１９】  波板による安定した動作を確保しつつ当該波板を他の部材に安定して組み付けるためには、前記波板における前記山形面に対して前記フォロワが接する面の裏面側から接し前記山形面及び前記フォロワとの離間を禁止し得る抜け止め要素を具備するようにすることが望ましい。すなわち本発明では基本的には山形面とフォロワを上下方向に重ね合わせているだけであるため、そのままでは山形面とフォロワは拘束されないために椅子を���ち上げると外れてしまうところであるが、上記のように構成しておくことで、確実に不離一体化することができる。【００２０】  波板の他の部材に対する円滑な抜け止めを図り、がたつき防止をも実現するためには、抜け止め要素を当該裏面に接する抜け止めフォロワとすることが望ましい。【００２１】  そして、波板が山形状に湾曲している場合、内周と外周で内輪差が存在するため、抜け止めリンクが固定であると抜け止めフォロワが噛み込んだり、逆に山形面から解離する可能性がある。そこで、抜け止め要素を前記フォロワよりリンクを介して揺動可能に支持されているものとすれば、リンクが適宜揺動しながら、フォロワを常時適切に山形面に接した状態を維持することができる。
【発明の効果】
【００２２】  本発明は、以上説明した構成であるから、シンプルな構造でありながら、着座者が長時間着座していても快適な着座感を得る機能を安定して実現することができ、ひいては高い作業効率を安定して維持し得る椅子を提供することができる。
【図面の簡単な説明】
【００２３】
【図１】本発明の第１実施形態に係る椅子を示す斜視図。
【図２】図１の一部を取り除いた正面図。
【図３】同右側面図。
【図４】同平面図。
【図５】同斜視図。
【図６】図５の分解斜視図。
【図７】同実施形態の作用説明図。
【図８】本発明の第２実施形態に係る椅子を示す図５に対応した斜視図。
【図９】図３に対応した右側面図。
【図１０】図7に対応した作用説明図。
【図１１】本発明の変形例を模式的に示す図。
【図１２】本発明の他の変形例を示す図。
【発明を実施するための形態】
【００２４】  以下、本発明の各実施形態を、図面を参照して説明する。
【００２５】  ＜第1実施形態＞
【００２６】  本発明の第一実施形態に係る椅子は、オフィスや家庭にて好適に使用することができる事務用回転椅子と称されるものである。
【００２７】  図1は本実施形態の椅子を示す斜視図、図２は一部を取り除いた正面図、図３は同右側面図、図４は同平面図、図５は同斜視図、図６は図５の分解斜視図、図７は作用説明図である。図２〜図５において説明の便宜上、リンク等の一部の部品を省略している。
【００２８】  この椅子は、床面から立設される脚１と、脚１の上方に設けられ背３を一体に有する座２と、脚１と座２との間に介在する左右支持機構４および前後支持機構５とを備え、これらの支持機構４、５が、人が着座していないときの座２の中立位置から前後左右に動作するときに動作先端側が下方に傾斜するように座２をガイドする機能を備えている。
【００２９】  脚１は、平面視放射状に形成された脚羽根１１と、この脚羽根１１の下側に取り付けられ床面に転動可能に接地するキャスタ１２とを具備し、脚羽根１１の中央から脚支柱１３が立設されて、この脚支柱１３に座２を回転可能に支持している。
【００３０】  座２は、本実施形態では背凭れ３と一体的に形成された板状をなす座本体２０を主体とし、この座本体２０の上面を座面としつつ、下面側には下方から支持されるための座受５０が配されている。
【００３１】  左右支持機構４は脚１に支持されて移動側の支持部となる左右支持体４１と、左右支持体４１に対して相対的に固定側となる被支持部たる支持基部１４との間に設けられ、支持部たる左右支持体４１と被支持部たる支持基部１４とを接続する構造を配している。
【００３２】  また、前後支持機構５は、脚１に間接的に支持されて移動側の支持部となる座受５０と、座２を支持すべく座受５０に対して相対的に固定側となる被支持部たる前後支持体５２との間に設けられ、支持部又は被支持部の一方、すなわちこの実施形態では支持部である移動側の座受５０に波板５６を設け、他方すなわち相対的に移動しない側の被支持部側である前後支持体５２に軸ｍ１、ｍ２を介して回転ローラによるフォロワ５３、５４を設けている。
【００３３】  具体的に説明すると、左右支持機構４は、支持基部１４に設定した上端軸ｎ１、ｎ２から一対のリンク部材４２、４３を介して下端軸ｎ３、ｎ４を垂下させたもので、左右のリンク部材４２、４３の下端軸ｎ３、ｎ４間にブラケット状の左右支持体４１を取り付けている。この場合、上端軸ｎ１、ｎ２間の距離よりも下端軸ｎ３、ｎ４間の距離が小さくなる設定にしてある。左右支持体４１が重力により最も低い位置にあるときが安定した中立位置である。この中立位置から左右支持体４１が左右に揺動すると、リンク部材４２、４３が回転しながらこれに追従し、中立位置から変位するにつれて左右支持体４１の重心位置が高くなるように移動し、移動量に応じて中立位置への復帰力を大きくする。また、中立位置から左右に移動するに従って、移動先に位置するリンク部材４２（４３）が垂直姿勢に近づいて下端軸ｎ３（ｎ４）が下がり、もう一方のリンク部材４３（４２）は水平姿勢に近づいて下端軸ｎ４（ｎ３）が上がる結果、これに支持された左右支持体４１は移動先端側が下がるように挙動する。
【００３４】  一方、前後支持機構５は、前記一対の左右支持体４１、４１の上方において当該左右支持体４１、４１間を接続するように対をなして設けられた前後支持体５２を有するもので、これらの前後支持体５２、５２間に、前後に位置する第１フォロワ５３、第２フォロワ５４を配し、これら両フォロワ５２、５３の中間位置から上方へ変位した部位に軸ｍ３を介して回転ローラによる抜け止めフォロワ５５を軸着している。これに対して座受５０は、一対の立壁５１、５１の間を波板５６で剛接することにより構成されているもので、波板５６には剛性のあるスチール板のプレス成型や、アルミ等のダイキャスト成形、あるいは削り出し、合成樹脂の射出成型等の適宜の手法によって第１、第２の山形面５７、５８が形成されている。
【００３５】  すなわち、この山形面５７、５８は上方に向けて凸状に湾曲した形状を有するもので、第1の山形面５７は第1フォロワ５３に接し、第2の山形面５８は第2フォロワ５４に接する位置関係に設定されている。より具体的には、山形面５７、５８がフォロワ５３、５４との相対動作方向と交差する方向に沿って座２の左右方向の中心線Ｌ（図４参照）を跨がるように幅方向に沿って一端側から他端側まで設けられたものであり、中心線Ｌの両側において山形面５７、５８に接するようにフォロワ５３、５４が配されている。
【００３６】  この際、人が着座していないときに座受５０が重力により最も低くなる位置を中立位置とした場合、この位置で第1フォロワ５３及び第2フォロワ５４が接している箇所を第1、第２の山形面５７、５８の基準位置Ｐ、Ｑとする（図７（ｂ）参照）。この位置から座２の移動に伴って座受５０が図７（ａ）に示すように後方に移動すると、第1の山形面５７の基準位置Ｐよりも前側の領域Ｐ１がフォロワ５３に接し、第2の山形面５８の基準位置Ｑよりも前側の領域Ｑ１がフォロワ５４に接する。このとき、座受５０は後傾し、このとき座全体の重心が持ち上がるように山形面５７、５８の形状や座２の形状、取付位置等が設定してある。したがって、外力が取り除かれると、重力による復帰力で、山形面５７、５８の基準位置Ｐ、Ｑがフォロワ５３、５４に接する位置まで座２が移動して座受５０は元の中立位置に復帰する。その間、山形面５７、５８の形状を通じて、座２に種々の好ましい軌跡を与えることができる。
【００３７】  一方、前記基準位置Ｐ、Ｑから座２の移動に伴って座受５０が図７（ｃ）に示すように前方に移動すると、第1の山形面５７の基準位置Ｐよりも後側の領域Ｐ２がフォロワ５３に接し、第2の山形面５８の基準位置Ｑよりも後側の領域Ｑ２がフォロワ５４に接する。このとき、座受５０は前傾し、このとき座全体の重心が持ち上がるように山形面５７、５８の形状や座２の形状、取付位置等が設定してある。したがって、外力が取り除かれると、重力による復帰力で、山形面５７、５８の基準位置Ｐ、Ｑがフォロワ５３、５４に接する位置まで座２が移動して座受５０は元の中立位置に復帰する。その間、山形面５７、５８の形状を通じて、座２に種々の好ましい軌跡を与えることができる。
【００３８】  さらに、このような座受５０の移動に伴って、前後支持体５２に設けた抜け止めフォロワ５５が辿る軌跡に沿って、座受５０には抜け止めフォロワ５５を挿通する挿通孔５９が設けてある。図６は先に抜け止めフォロワ５５を取り付けた状態を示しているが、実際には波板５６を載せた後、フォロワ５５が前後支持体５２に取り付けられる。
【００３９】  以上のように、本実施形態の椅子は、床面から立設される脚１と、前記脚の上方に設けられた座２と、前記脚と前記座との間に介在する支持機構の一つである前後支持機構４とを備え、前後支持機構４が、脚１に間接的に支持された支持部である座受５０側に設けられ、座受５０の立壁５１から水平方向に延出させて設けられて上方に向かって凸状に湾曲させた山形面５７、５８を有する波板５６と、被支持部側である前後支持体５２に設けられ山形面５７、５８に相対動作可能に接するフォロワ５３、５４とを有し、座２が、山形面５７、５８及びフォロワ５３、５４の相対動作により中立位置から動作するときに動作先端側が下方に傾斜するように、波板５６とフォロワ５３、５４が関連づけられていることを特徴とする。
【００４０】  このような構成であると、座受５０の立壁５１の構成や形状に影響されずに波板５６を形成することができるので、カム面として機能する山形面５７、５８並びにフォロワ５３、５４による動作を、椅子を構成する立壁５１の構成並びに形状に拘束されずに実現することができ、着座者にとって真に快適な着座感を与え得る構成を実現することが可能となる。そのうえ、立壁５１から水平方向に波板５６を延出させてこれを受圧面とすることによって、単に立壁５１の端面にカム面を設定した場合の肉厚相当の受圧面よりも広い受圧面積を確保して、動作の安定性と円滑さを向上させることができる。そして、波板５６は波の形状を変えるだけで種々の特性を実現することができるため、移動につれて移動先端側が下がる動作を与えるには波板５６が極めて適したものになる。また、組み立てもし易いものとなる。
【００４１】  また、前後支持機構５のほかに、座２を山形面５７、５８及びフォロワ５３、５４の相対動作方向に交差する方向に動作させる第２の支持機構である左右支持機構４を備えている。
【００４２】  既述のように、山形面５７、７８及びフォロワ５３、５４の相対動作を通じて座２の動作が安定スムーズなものになるため、座２を左右支持機構４を通じて交差する方向に動作させる構造も安定性を低下させることなく有効に採用することができ、座２に多様な動きを実現することができる。
【００４３】  また、山形面５７、５８がフォロワ５３、５４との相対動作方向と交差する方向に沿って座２の左右方向の中心線Ｌを跨がるように設けられたものであり、中心線Ｌの両側において山形面５７、５８に接するようにフォロワ５３、５４が配されている。
【００４４】  このようにすれば、山形面５７、５８を単純な形状にしつつ、左右のフォロワ５３、５４の少なくとも一方若しくは双方による的確な相対動作を行わせることができる。
【００４５】  また、山形面５７、５８がフォロワ５３、５４との相対動作方向と交差する方向に沿って座２の前後方向の中心線Ｌを跨がるように設けられたものであり、フォロワ５３、５４が山形面５７、５８のガイド方向と直交する方向に沿って一端部から延びて他端部に至り、これら一端部から他端部に亘って山形面５７、５８に接し得る形状をなしている。なお、フォロワの個数は限定されるものではなく、同軸上に２つ以上でも良いし複数を一体的に設けても良い。
【００４６】  このようにすれば、山形面５７、５８とフォロワ５３、５４の受圧面積を十分に確保することができ、波板の強度も向上させることができる。
【００４７】  また、座２は前後方向および左右方向にそれぞれ独立して動作可能に支持され、前後方向の動作を支持する支持機構が波板５６とフォロワ５３、５４を備えた前後支持機構５とされている。
【００４８】  これにより、山形面５７、７８及びフォロワ５３、５４の相対動作を通じて座２の動作が安定スムーズなものになるため、特に独立して座２を直交２方向に動作させる場合の一方の動作のガイドとして極めて適したものとなる。
【００４９】  また、前後支持機構５が、人が着座していないときの座２の中立位置からの動作に伴い、座２の重心を上昇させるものである。
【００５０】  このようにすると、座２は揺動方向側が下方に傾斜しながら中央部の高さは上昇するため、従来にはない着座感を備えた椅子が実現される。しかも、移動するにつれて戻る方向への復帰力が大きくなるので、複雑な構造を採用せずとも、中立位置への復帰機構を適切に実現することができる。
【００５１】  また、波板５６における山形面５７、５８に対してフォロワ５３、５４が接する面の裏面側から挿通孔５９に接し山形面５７、５８及びフォロワ５３、５４との離間を禁止し得る抜け止め要素である抜け止めフォロワ５５を備えている。
【００５２】  すなわち、本実施形態は基本的には山形面５７、５８とフォロワ５３、５４を上下方向に重ね合わせているだけであるため、そのままでは山形面５７、５８とフォロワ５３、５４は拘束されないために椅子を持ち上げると外れてしまう。そこで、上記のように構成しておくことで、確実に不離一体化することができる。
【００５３】  特に、抜け止め要素が当該裏面側において挿通孔５９に接する抜け止めフォロワ５５であるため、円滑な抜け止めが図れ、ガタつき防止にもつながる。
【００５４】  ＜第２実施形態＞
【００５５】  図８〜図１０に示す椅子は、基本的には前記実施形態と同様の波板５６およびフォロワ５３、５４を有するが、前後支持体５２が抜け止めフォロワ５５を備えない嵩の低いものになっている。このため、前記実施形態の抜け止めフォロワ５５を挿通する挿通窓５９も設けられていない。
【００５６】  しかしながら、この実施形態では、フォロワ５３、５４にリンク５３ｂ、５４ｂを介して波板５６の反対側に抜け止め要素である抜け止めフォロワ５３ａ、５４ａを配置している。
【００５７】  図において、前記実施形態と共通する部位には同一符号が付してある。
【００５８】  この抜け止めフォロア５３ａ、５４ａも、波板５６における山形面５７、５８に対してフォロワ５３、５４が接する面の裏面に接し山形面５７、５８及びフォロワ５３、５４との離間を禁止し得るものである。図中符号５９ａ、５９ｂで示すものは軸ｍ４、ｍ５との干渉を避ける逃げ孔であって、前記実施形態のようにフォロア５３ａ、５４ａが接しているわけではない。
【００５９】  このようにしても、先ずもって図１０に示すようにフォロア５３、５４に波板５６の山形面５７、５８が接するので、同図（ｂ）の中立位置から座２が後方へ移動した図（ａ）の状態、座２が前方へ移動した同図（ｃ）の状態を通じて、前記実施形態と同様のガイド機能が発揮される。そして、抜け止めフォロア５３ａ、５４ａはリンク５３ｂ、５４ｂを介して波板５６の裏面に２点で接するので、椅子を持ち上げた場合等に波板５６がフォロワ５３、５４から外れることをより有効に防止できることになる。
【００６０】  このように、抜け止め要素が当該裏面において接する抜け止めフォロワ５３ａ、５４ａであることによって、円滑な抜け止めが図れ、ガタつき防止にもつながる。
【００６１】  特に、波板５６が山形状に湾曲している場合、抜け止めフォロアが波板の動きに追従しきれず噛み込んだり、逆にフォロアが山形面から解離する可能性があるが、抜け止めフォロア５３ａ、５４ａがフォロワ５３、５４よりリンク５３ｂ、５４ｂを介して揺動可能に支持されていることで、図１０に示すようにリンク５３ｂ、５４ｂが適宜首を振りつつ揺動しながら、抜け止めフォロワ５３ａ、５４ａを適切な位置にて山形面５７、７８に接した状態を維持することができる。
【００６２】  なお、図示例では軸ｍ１、ｍ２がリンク５３ｂ、５４ｂの回転支点として設定してあるが、軸ｍ４、ｍ５をリンク５３ｂ、５４ｂの回転支点として設定しても構わない。
【００６３】  また、リンク５３ｂ、５４ｂの中心点ｍ６、ｍ７を軸によって支持し、中心点ｍ６、ｍ７が波板５６の中心に沿って移動するように構成してもよい。このようにすれば、中心点ｍ６からフォロア５３及び抜け止めフォロア５３ａまでの距離が等しくなり、中心点ｍ７からフォロア５４及び抜け止めフォロア５４ａまでの距離が等しくなって、波板５６の両側でフォロア５３と抜け止めフォロア５３ａ、フォロア５４と抜け止めフォロア５４ａに、それぞれ似たような無理のない動作を行わせることができる。
【００６４】  また、本発明は上記実施形態以外に、種々に変形実施することができる。
【００６５】  例えば、図１１の模式図において説明すると、上記実施形態の前後支持機構５は同図（ａ）に示すように、脚１側に支持された被支持部である前後支持体５２と、座２側を支持する支持部である座受５０との間に設けられ、支持部又は被支持部の一方、すなわち座受５０に山形面５７、５８を設け、他方すなわち前後支持体５２にフォロワ５３、５４を設けたが、同図（ｂ）に示すように支持部又は被支持部の他方、すなわち前後支持体５２に山形面５７、５８を設け、一方すなわち座受５０にフォロワ５３、５４を設けてもよい。この場合、同図（ａ）では山形面５７、５８を下方に向かって凸状に湾曲させ、その下面にフォロワ５３、５４を接触させたが、同図（ｂ）の場合は山形面５７、５８を上方に向かって凸状に湾曲させ、その上面にフォロワ５３、５４を接触させることになる。同図（ｄ）は逆に下に向かって凸となる山形面５７を支持体５２側に設け、その上面に座受５０に設けたフォロア５３、５４を接するようにした例である。
【００６６】  また、同図（ａ）、（ｂ）、（ｄ）山形面の５７、５８は最も突出した変極点に対して、中立位置でその基準位置よりも前側の領域と後側の領域とにそれぞれフォロア５３、５４が接するように構成されているが、同図（ｃ）に示すように、第1フォロワ５３が第1の山形面５７の後側の領域に接し第2フォロワ５４が山形面５８の前側の領域する位置を中立位置に設定することもできる。
【００６７】  要は、中立位置から座が前方へ移動したときは、第1の山形面５７で座受５０側の波板５６又はフォロワ５３が下がり、第2の山形面５７で座受５０側の波板５６又はフォロア５４が上がるような関係を満たし、全体として座の重心が高くなれば、前方移動に関して上記実施形態に準じた作用効果が奏される。
【００６８】  また、中立位置から座２が後方へ移動したときは、第２の山形面５８で座受５０側の波板５６又はフォロワ５４が下がり、第１の山形面５７で座受５０側の波板５６又はフォロワ５３が上がる関係を満たし、全体として座の重心が高くなれば、後方移動に関しても上記実施形態に準じた作用効果が奏される。
【００６９】  また、波板は前記実施形態では一対の立面の一端側から他端側に亘って設けられていたが、中間が分断された構造であっても勿論構わない。
【００７０】  また、立壁に孔を空ける際にバーリングによって立壁と一体をなす波板を形成することもできる。
【００７１】  また、上記実施形態では波形のフォロワによるガイドを座の前後方向の移動を支持する前後支持機構に適用したが、座の左右方向の移動を支持する左右支持機構に適用しても、また双方に適用しても構わない。
【００７２】  また、上記実施形態では左右支持機構に前後支持機構が支持されていたが、前後支持機構に左右支持機構が支持された構造であっても構わない。
【００７３】  また、フォロワは回転可能なローラ状のものに限らず、回転しない柱状のスライダ、その他の構成を採用することができる。
【００７４】  また、図１２に示すように、フォロア１００が紡錘形状をなし、波板に形成される山形面１５７の断面がフォロア１００に沿ったテーパ状をなすように構成してもよい。このようにすると、山形面１５７に対してフォロア１００が移動する方向と直交する方向に対して中心へのオフセット力が働くため、フォロア１００の挙動が安定し、受圧面積も適切に確保することができる。
【００７５】  また、フォロアの材質は合成樹脂性、表面がゴム状の弾性材料からなるもので構成してもよい。このようにすれば、より快適な着座感を高めることができる。
【００７６】  その他の構成も、本発明の趣旨を逸脱しない範囲で種々変形が可能である。
【産業上の利用可能性】
【００７７】  本発明は、オフィス等において好適に利用される椅子に適用することができる。
【符号の説明】
【００７８】１・・・脚２・・・座４・・・前後支持機構５０・・・支持部（座受）５１・・・立壁５７、５８・・・山形面５６・・・波板５３、５４・・・フォロワ
【図１】
0006770585.tif 000002
【図２】
0006770585.tif 000003
【図３】
0006770585.tif 000004
【図４】
0006770585.tif 000005
【図５】
0006770585.tif 000006
【図６】
0006770585.tif 000007
【図７】
0006770585.tif 000008
【図８】
0006770585.tif 000009
【図９】
0006770585.tif 000010
【図１０】
0006770585.tif 000011
【図１１】
0006770585.tif 000012
【図１２】
0006770585.tif 000013